(57)【要約】【課題】マルチパス妨害や隣接妨害に対処していない。【解決手段】モノラル成分信号の各帯域分割信号のレベルと基準レベルとを比較するモノラル側レベル比較部３３と、この比較結果に基づいて同一周波数帯域のステレオ成分信号に関わる帯域分割信号のレベルを制御するステレオ側レベル制御部３５と、レベル制御した帯域分割信号を合成してステレオ成分合成信号を生成し、このステレオ成分合成信号と前記モノラル成分信号とに基づいてＦＭステレオ信号を生成するマトリクス増幅器２３と、Ｓメータ信号からマルチパス妨害レベルを検出するマルチパス妨害レベル検出部２４と、ＦＭ検波信号から隣接妨害レベルを検出する隣接妨害レベル検出部２５と、これら隣接妨害レベル及びマルチパス妨害レベルに基づいて、モノラル側レベル比較部の基準レベルを設定変更する基準レベル設定変更部３９とを有している。【選択図】　図２
2004088712.tif 000002
【特許請求の範囲】
【請求項１】
ＦＭ放送信号のＦＭ検波信号からモノラル成分信号及びステレオ成分信号を抽出する抽出手段と、前記モノラル成分信号及びステレオ成分信号夫々を複数の周波数帯域に分割して、これらモノラル成分信号及びステレオ成分信号の帯域分割信号を生成する周波数帯域分割手段と、前記モノラル成分信号の各帯域分割信号のレベルと基準レベルとを比較するレベル比較手段と、このレベル比較手段の周波数帯域毎の比較結果に基づいて同一周波数帯域の前記ステレオ成分信号に関わる帯域分割信号のレベルを制御するレベル制御手段と、このレベル制御手段にてレベル制御した複数の帯域分割信号を合成することでステレオ成分合成信号を生成し、このステレオ成分合成信号と前記モノラル成分信号とに基づいてＦＭステレオ信号を生成するＦＭステレオ信号生成手段とを有するＦＭステレオ受信装置であって、
前記ＦＭ放送信号における妨害レベルを検出する妨害レベル検出手段と、
この妨害レベル検出手段の検出結果に基づいて、前記レベル比較手段の基準レベルを設定変更する基準レベル設定変更手段とを有することを特徴とするＦＭステレオ受信装置。
【請求項２】
前記妨害レベル検出手段は、
前記ＦＭ放送信号から電界強度信号を検出する電界強度検出手段と、
この電界強度検出手段にて検出した電界強度信号から、前記妨害レベルであるマルチパス妨害レベルを検出するマルチパス妨害レベル検出手段と、
前記ＦＭ検波信号から、前記妨害レベルである隣接妨害レベルを検出する隣接妨害レベル検出手段とを有し、
前記基準レベル設定変更手段は、
前記マルチパス妨害レベル検出手段又は前記隣接妨害レベル検出手段の検出結果に基づいて、前記レベル比較手段の基準レベルを設定変更することを特徴とする請求項１記載のＦＭステレオ受信装置。
【請求項３】
前記マルチパス妨害レベル検出手段は、
前記電界強度検出手段にて検出した電界強度信号から第１所定帯域の電界強度信号を抽出する電界強度用抽出手段と、
この電界強度用抽出手段にて第１所定帯域の電界強度信号を抽出すると、この第１所定帯域の電界強度信号のレベルをマルチパス妨害レベルとして検出する電界強度用レベル検出手段とを有し、
前記基準レベル設定変更手段は、
前記マルチパス妨害レベル検出手段にて検出したマルチパス妨害レベルが所定レベル以上となると、このマルチパス妨害レベルに基づいて、マルチパス妨害を含むステレオ成分信号に関わる帯域分割信号のレベルを下げるように、前記レベル比較手段の基準レベルを設定変更することを特徴とする請求項２記載のＦＭステレオ受信装置。
【請求項４】
前記隣接妨害レベル検出手段は、
前記ＦＭ検波信号から第２所定帯域のＦＭ検波信号を抽出するＦＭ検波用抽出手段と、
このＦＭ検波用抽出手段にて第２所定帯域のＦＭ検波信号を抽出すると、この第２所定帯域のＦＭ検波信号のレベルを隣接妨害レベルとして検出するＦＭ検波用レベル検出手段とを有し、
前記基準レベル設定変更手段は、
前記隣接妨害レベル検出手段にて検出した隣接妨害レベルが所定レベル以上となると、この隣接妨害レベルに基づいて、隣接妨害を含む前記ステレオ成分信号に関わる帯域分割信号のレベルを下げるように、前記レベル比較手段の基準レベルを設定変更することを特徴とする請求項２又は３記載のＦＭステレオ受信装置。
【請求項５】
前記基準レベル設定変更手段は、
前記隣接妨害レベル及び前記マルチパス妨害レベル双方が所定レベル以上となると、これら隣接妨害レベル及びマルチパス妨害レベルの内、高い方の妨害レベルを選択し、この選択した妨害レベルに基づいて、妨害を含む前記ステレオ成分信号に関わる帯域分割信号のレベルを下げるように、前記レベル比較手段の基準レベルを設定変更することを特徴とする請求項２、３又は４記載のＦＭステレオ受信装置。
【発明の詳細な説明】
【０００１】
【発明の属する技術分野】
本発明は、到来するＦＭ放送電波を受信し、このＦＭ検波信号に含まれるノイズ成分を改善して最適なＦＭステレオ信号を得る機能を備えたＦＭステレオ受信装置に関する。
【０００２】
【従来の技術】
従来、このようなＦＭステレオ受信装置としては、実公平４−１９８６２号公報（例えば特許文献１参照）や特開平５−３００５４号公報（例えば特許文献２参照）に掲げるものを本出願人は提案している。
【０００３】
実公平４−１９８６２号公報のＦＭステレオ受信装置においては、ＦＭ検波信号からモノラル成分信号（Ｌ＋Ｒ：和信号）及びステレオ成分（Ｌ−Ｒ：差信号）を抽出し、前記モノラル成分信号及びステレオ成分信号夫々を複数の周波数帯域に分割して、モノラル成分信号及びステレオ成分信号の帯域分割信号を生成し、さらに、前記モノラル成分信号の各帯域分割信号のレベルと基準レベルとを周波数帯域毎に比較し、前記モノラル成分の帯域分割信号のレベルが基準レベル以上となると、ノイズ成分はないものと判断して、同一周波数帯域のステレオ成分信号の帯域分割信号を加算器に入力し、この加算器にてステレオ成分信号に関わる帯域分割信号を合成することでステレオ成分合成信号を生成し、このステレオ成分合成信号及びモノラル成分信号を合成することで最適なＦＭステレオ信号を得ることができる。
【０００４】
つまり、実公平４−１９８６２号公報のＦＭステレオ受信装置によれば、モノラル成分信号のある周波数帯域の帯域分割信号のレベルが基準レベルを下回ると、その周波数帯域のステレオ成分信号の帯域分割信号にノイズが含まれているものとみなし、この帯域分割信号を加算器に入力しないようにしたので、弱電界時に発生するステレオ成分信号のノイズレベルを低減することで、ステレオ成分信号のＳ／Ｎを改善し、最適なＦＭステレオ信号を得ることができる。
【０００５】
このような実公平４−１９８６２号公報のＦＭステレオ受信装置においては、最適なＦＭステレオ信号を得るために、モノラル成分信号の帯域分割信号のレベルを比較する基準レベルを最適なレベルに設定する必要がある。
【０００６】
しかしながら、このような従来のＦＭステレオ受信装置によれば、低Ｓ／Ｎ時においてはステレオ成分信号のＳ／Ｎを改善するためには基準レベルをある程度高く設定する必要があるが、このように基準レベルを高く設定すると、高Ｓ／Ｎ時ではハイファイ再生ができない。
【０００７】
また、逆に高Ｓ／Ｎ時にハイファイ再生ができるように基準レベルを低く設定すると、低Ｓ／Ｎ時においては、ステレオ成分信号のＳ／Ｎが改善できなくなる。
【０００８】
そこで、このような事態に対処すべく、本出願人は特開平５−３００５４号公報に掲げるＦＭステレオ装置を提案している。
【０００９】
この特開平５−３００５４号公報のＦＭステレオ受信装置としては、ＦＭ放送信号から得られるＳメータ信号に基づいて基準レベルを設定変更するようにした、つまり、低Ｓ／Ｎ時においてはステレオ成分信号のＳ／Ｎの改善を優先するように基準レベルを高く設定し、高Ｓ／Ｎ時においてはハイファイ再生を優先するように基準レベルを低く設定するようにしたので、ステレオ成分信号のＳ／Ｎ改善及びハイファイ再生を両立できるようにした。
【００１０】
【特許文献１】
実公平４−１９８６２号公報（図２）
【特許文献２】
特開平５−３００５４号公報（図４（ｂ））
【００１１】
【発明が解決しようとする課題】
しかしながら、上記従来のＦＭステレオ受信装置によれば、ステレオ成分信号のＳ／Ｎ改善及びハイファイ再生を両立できるようにしたが、例えばマルチパス妨害や隣接妨害に対しては全く対処されていないことから、例えばマルチパス妨害発生時又は隣接妨害発生時においては、ＦＭステレオ受信装置で得るＦＭステレオ信号には、聴覚上、大きなノイズが生じてしまう。
【００１２】
本発明は上記点に鑑みてなされたものであり、その目的とするところは、マルチパス妨害や隣接妨害が発生したとしてもＦＭステレオ信号に聴覚上のノイズを大幅に低減することができるＦＭステレオ受信装置を提供することにある。
【００１３】
【課題を解決するための手段】
上記目的を達成するために本発明のＦＭステレオ受信装置は、ＦＭ放送信号のＦＭ検波信号からモノラル成分信号及びステレオ成分信号を抽出する抽出手段と、前記モノラル成分信号及びステレオ成分信号夫々を複数の周波数帯域に分割して、これらモノラル成分信号及びステレオ成分信号の帯域分割信号を生成する周波数帯域分割手段と、前記モノラル成分信号の各帯域分割信号のレベルと基準レベルとを比較するレベル比較手段と、このレベル比較手段の周波数帯域毎の比較結果に基づいて同一周波数帯域の前記ステレオ成分信号に関わる帯域分割信号のレベルを制御するレベル制御手段と、このレベル制御手段にてレベル制御した複数の帯域分割信号を合成することでステレオ成分合成信号を生成し、このステレオ成分合成信号と前記モノラル成分信号とに基づいてＦＭステレオ信号を生成するＦＭステレオ信号生成手段とを有するＦＭステレオ受信装置であって、前記ＦＭ放送信号における妨害レベルを検出する妨害レベル検出手段と、この妨害レベル検出手段の検出結果に基づいて、前記レベル比較手段の基準レベルを設定変更する基準レベル設定変更手段とを有するようにした。
【００１４】
従って、本発明のＦＭステレオ受信装置によれば、ＦＭ放送信号における妨害レベルを検出し、この妨害レベル検出手段の検出結果に基づいて、レベル比較手段の基準レベルを設定変更するようにしたので、例えばマルチパス妨害や隣接妨害等の妨害が発生したとしても、これらマルチパス妨害や隣接妨害によるＦＭステレオ信号の聴感上のノイズを低減することができる。
【００１５】
本発明のＦＭステレオ受信装置は、前記妨害レベル検出手段が、前記ＦＭ放送信号から電界強度信号を検出する電界強度検出手段と、この電界強度検出手段にて検出した電界強度信号から、前記妨害レベルであるマルチパス妨害レベルを検出するマルチパス妨害レベル検出手段と、前記ＦＭ検波信号から、前記妨害レベルである隣接妨害レベルを検出する隣接妨害レベル検出手段とを有し、前記基準レベル設定変更手段は、前記隣接妨害レベル検出手段又は前記マルチパス妨害レベル検出手段の検出結果に基づいて、前記レベル比較手段の基準レベルを設定変更するようにした。
【００１６】
従って、本発明のＦＭステレオ受信装置によれば、電界強度信号からマルチパス妨害レベルを検出し、さらに、ＦＭ検波信号から隣接妨害レベルを検出し、これら隣接妨害レベル及びマルチパス妨害レベルに基づいて、レベル比較手段の基準レベルを設定変更するようにしたので、マルチパス妨害や隣接妨害が発生したとしても、これらマルチパス妨害や隣接妨害によるＦＭステレオ信号の聴感上のノイズを低減することができる。
【００１７】
本発明のＦＭステレオ受信装置は、前記マルチパス妨害レベル検出手段が、前記電界強度検出手段にて検出した電界強度信号から第１所定帯域の電界強度信号を抽出する電界強度用抽出手段と、この電界強度用抽出手段にて第１所定帯域の電界強度信号を抽出すると、この第１所定帯域の電界強度信号のレベルをマルチパス妨害レベルとして検出する電界強度用レベル検出手段とを有し、前記基準レベル設定変更手段は、前記マルチパス妨害レベル検出手段にて検出したマルチパス妨害レベルが所定レベル以上となると、このマルチパス妨害レベルに基づいて、マルチパス妨害を含むステレオ成分信号に関わる帯域分割信号のレベルを下げるように、前記レベル比較手段の基準レベルを設定変更するようにした。
【００１８】
従って、本発明のＦＭステレオ受信装置によれば、マルチパス妨害レベル検出手段にて検出したマルチパス妨害レベルが所定レベル以上となると、このマルチパス妨害レベルに基づいて、マルチパス妨害を含むステレオ成分信号に関わる帯域分割信号のレベルを下げるように、レベル比較手段の基準レベルを設定変更するようにしたので、マルチパス妨害が発生したとしても、このマルチパス妨害によるＦＭステレオ信号に聴覚上のノイズを低減することができる。
【００１９】
本発明のＦＭステレオ受信装置は、前記隣接妨害レベル検出手段が、前記ＦＭ検波信号から第２所定帯域のＦＭ検波信号を抽出するＦＭ検波用抽出手段と、このＦＭ検波用抽出手段にて第２所定帯域のＦＭ検波信号を抽出すると、この第２所定帯域のＦＭ検波信号のレベルを隣接妨害レベルとして検出するＦＭ検波用レベル検出手段とを有し、前記基準レベル設定変更手段は、前記隣接妨害レベル検出手段にて検出した隣接妨害レベルが所定レベル以上となると、この隣接妨害レベルに基づいて、隣接妨害を含む前記ステレオ成分信号に関わる帯域分割信号のレベルを下げるように、前記レベル比較手段の基準レベルを設定変更するようにした。
【００２０】
従って、本発明のＦＭステレオ受信装置によれば、前記隣接妨害レベル検出手段にて検出した隣接妨害レベルが所定レベル以上となると、この隣接妨害レベルに基づいて、前記隣接妨害を含む前記ステレオ成分信号に関わる帯域分割信号のレベルを下げるように、前記レベル比較手段の前記基準レベルを設定変更するようにしたので、隣接妨害が発生したとしても、隣接妨害によるＦＭステレオ信号の聴覚上のノイズを低減することができる。
【００２１】
本発明のＦＭステレオ受信装置は、前記基準レベル設定変更手段が、前記隣接妨害レベル及び前記マルチパス妨害レベル双方が所定レベル以上となると、これら隣接妨害レベル及びマルチパス妨害レベルの内、高い方の妨害レベルを選択し、この選択した妨害レベルに基づいて、妨害を含む前記ステレオ成分信号に関わる帯域分割信号のレベルを下げるように、前記レベル比較手段の基準レベルを設定変更するようにした。
【００２２】
従って、本発明のＦＭステレオ受信装置によれば、隣接妨害レベル及びマルチパス妨害レベル双方が所定レベル以上となると、これら隣接妨害レベル及びマルチパス妨害レベルの内、高い方の妨害レベルを選択し、この選択した妨害レベルに基づいて、妨害を含むステレオ成分信号に関わる帯域分割信号のレベルを下げるように、前記レベル比較手段の基準レベルを設定変更するようにしたので、マルチパス妨害や隣接妨害が発生したとしても、これらマルチパス妨害や隣接妨害によるＦＭステレオ信号の聴覚上のノイズを低減することができる。
【００２３】
【発明の実施の形態】
以下、図面に基づいて本発明の実施の形態を示すＦＭステレオ受信装置について説明する。図１は本実施の形態を示すＦＭステレオ受信装置内部の概略構成を示すブロック図である。
【００２４】
図１に示すＦＭステレオ受信装置１は、到来するＦＭ放送電波を受信する受信アンテナ１１と、このＦＭ放送電波をＦＭ放送信号として高周波増幅する高周波増幅器１２と、局部発振信号を生成する局部発振器１３と、高周波増幅器１２にて高周波増幅したＦＭ放送信号と局部発振信号とをミキシングすることで、ＦＭ放送信号を中間周波数信号（以下、単にＩＦ信号と称する）に周波数変換する周波数変換器１４と、この周波数変換したＩＦ信号を振幅制限するリミッタ１５と、この振幅制限したＩＦ信号をＦＭ検波することでＦＭ検波信号を出力するディスクリミネータ１６とを有している。
【００２５】
さらにＦＭステレオ受信装置１は、ディスクリミネータ１６にて出力したＦＭ検波信号からモノラル成分信号（Ｌ＋Ｒ）ＥＭを抽出するモノラル成分抽出部１７と、ＦＭ検波信号からステレオ成分信号（Ｌ−Ｒ）ＥＳを含む成分信号を抽出するステレオ成分抽出部１８と、ＦＭ検波信号からパイロット成分信号Ｐを抽出するパイロット成分抽出部１９と、このパイロット成分抽出部１９にて抽出したパイロット成分信号Ｐを２逓倍してステレオ同期信号を発生する同期信号発生部２０と、このステレオ同期信号に基づいて、ステレオ成分抽出部１８にて抽出したステレオ成分信号ＥＳを同期検波する同期検波器２１と、モノラル成分信号ＥＭに基づいて、ステレオ成分信号ＥＳに対するノイズ低減処理を施すことでステレオ成分合成信号ＥＳ’を生成する信号処理部２２と、モノラル成分抽出部１７にて抽出したモノラル成分信号ＥＭ及び信号処理部２２にてノイズ低減処理を施したステレオ成分合成信号ＥＳ’にマトリクス処理を施してＦＭステレオ信号を生成出力するマトリクス増幅器２３とを有している。
【００２６】
尚、モノラル成分抽出部１７は、ＦＭ検波信号の低域にあるモノラル成分信号ＥＭを抽出するＬＰＦで構成し、ステレオ成分抽出部１８は、ＦＭ検波信号のステレオ成分信号ＥＳを含む所定帯域成分を抽出するＢＰＦで構成し、パイロット成分抽出部１９は、ＦＭ検波信号からパイロット成分信号を抽出するＢＰＦで構成している。
【００２７】
同期検波器２１は、同期信号発生部２０にて発生したステレオ同期信号に基づいて同期検波することで、ステレオ成分抽出部１８にて抽出した所定帯域成分からステレオ成分信号ＥＳを得るものである。
【００２８】
また、ＦＭステレオ受信装置１は、ＩＦ信号のＳメータ信号に基づいてマルチパス妨害レベルを検出するマルチパス妨害レベル検出部２４と、ＦＭ検波信号から隣接妨害レベルを検出する隣接妨害レベル検出部２５とを有し、これら隣接妨害レベル及びマルチパス妨害レベルに基づいて、後述する信号処理部２２の基準レベルを設定変更するものである。
【００２９】
また、マルチパス妨害レベル検出部２４は、Ｓメータ信号から第１所定帯域である１９ｋＨｚ±２ｋＨｚの帯域成分を抽出する第１ＢＰＦ２４Ａと、この第１ＢＰＦ２４Ａで抽出した帯域成分のレベルを検出することでマルチパス妨害レベルを検出する第１レベル検出部２４Ｂとを有している。
【００３０】
また、隣接妨害レベル検出部２５は、ＦＭ検波信号の第２所定帯域である７０ｋＨｚ〜２３０ｋＨｚの帯域成分を抽出する第２ＢＰＦ２５Ａと、この第２ＢＰＦ２５Ａで抽出した帯域成分のレベルを検出することで隣接妨害レベルを検出する第２レベル検出部２５Ｂとを有している。尚、例えば９８．１ＭＨｚのＦＭ放送を受信する場合、９８．２ＭＨｚに現れるのが１００ｋＨｚの隣接妨害で、９８．３ＭＨｚに現れるのが２００ｋＨｚの隣接妨害であることから、例えば第２ＢＰＦ２５Ａの通過帯域を７０ｋＨｚ〜１３０ｋＨｚ程度に設定すれば、１００ｋＨｚの隣接妨害を検出することができ、１３０ｋＨｚ〜２３０ｋＨｚ程度に設定すれば、２００ｋＨｚの隣接妨害を検出することができる。
【００３１】
図２は信号処理部２２内部の概略構成を示すブロック図である。
【００３２】
図２に示す信号処理部２２は、モノラル成分抽出部１７にて抽出したモノラル成分信号ＥＭを複数の周波数帯域に分割して複数の帯域分割信号を生成するモノラル側周波数分割部３１と、このモノラル側周波数分割部３１にて生成した各帯域分割信号のレベルを夫々検出するモノラル側レベル検出部３２と、このモノラル側レベル検出部３２にて検出したモノラル成分信号ＥＭの帯域分割信号のレベルを周波数帯域毎に基準レベルと比較するモノラル側レベル比較部３３とを有している。
【００３３】
また、信号処理部２２は、同期検波器２１からのステレオ成分信号ＥＳを、モノラル側周波数分割部３１で分割する周波数帯域と同一の周波数帯域に分割するステレオ側周波数分割部３４と、モノラル側レベル比較部３３の周波数帯域毎の比較結果に基づいて、同一周波数帯域に関わるステレオ成分信号ＥＳの帯域分割信号のレベルを制御するステレオ側レベル制御部３５と、このステレオ側レベル制御部３５にてレベル制御した帯域分割信号を合成することでステレオ成分合成信号ＥＳ’を生成し、このステレオ成分合成信号ＥＳ’をマトリクス増幅器２３に入力するステレオ側合成部３６とを有している。
【００３４】
さらに、信号処理部２２は、隣接妨害レベル検出部２５にて検出した隣接妨害レベルが所定レベル以上であるか否かを判定する隣接妨害判定部３７と、マルチパス妨害レベル検出部２４にて検出したマルチパス妨害レベルが所定レベル以上であるか否かを判定するマルチパス妨害判定部３８と、隣接妨害判定部３７及びマルチパス妨害判定部３８の判定結果に基づいて、マルチパス妨害レベル又は隣接妨害レベルを選択し、この選択したマルチパス妨害又は隣接妨害レベルに基づいてモノラル側レベル比較部３３の基準レベルを設定変更する基準レベル設定変更部３９とを有している。
【００３５】
尚、請求項記載の抽出手段は、モノラル成分抽出部１７、ステレオ成分抽出部１８及び同期検波器２１、電界強度検出手段はリミッタ１５、マルチパス妨害レベル検出手段はマルチパス妨害レベル検出部２４、隣接妨害レベル検出手段は隣接妨害レベル検出部２５、ＦＭステレオ信号生成手段はマトリクス増幅器２３及びステレオ側合成部３６、電界強度用抽出手段は第１ＢＰＦ２４Ａ，電界強度用レベル検出手段は第１レベル検出部２４Ｂ，ＦＭ検波用抽出手段は第２ＢＰＦ２５Ａ，ＦＭ検波用レベル検出手段は第２レベル検出部２５Ｂ、周波数帯域分割手段はモノラル側周波数分割部３１及びステレオ側周波数分割部３４、レベル比較手段はモノラル側レベル比較部３３、レベル制御手段はステレオ側レベル制御部３５、基準レベル設定変更手段は隣接妨害判定部３７、マルチパス妨害判定部３８及び基準レベル設定変更部３９、妨害レベル検出手段はマルチパス妨害レベル検出部２４及び隣接妨害レベル検出部２５に相当するものである。
【００３６】
次に本実施の形態を示すＦＭステレオ受信装置１の動作について説明する。
【００３７】
信号処理部２２のステレオ側レベル制御部３５は、モノラル側レベル比較部３３にて周波数帯域毎にモノラル成分信号ＥＭの帯域分割信号のレベルが基準レベルを下回るとの比較結果を得ると、同一周波数帯域のステレオ成分信号ＥＳの帯域分割信号をノイズ成分とみなし、この帯域分割信号がステレオ側合成部３６にて生成するステレオ成分合成信号ＥＳ’に影響を与えないように、この帯域分割信号のレベルを制御する。
【００３８】
また、ステレオ側レベル制御部３５は、モノラル側レベル比較部３３にて周波数帯域毎にモノラル成分信号ＥＭの帯域分割信号のレベルが基準レベル以上となるとの比較結果を得ると、同一周波数帯域のステレオ成分信号ＥＳの帯域分割信号をステレオ側合成部３６に出力する。
【００３９】
そして、ステレオ側合成部３６では、各周波数帯域のステレオ成分信号ＥＳの帯域分割信号を合成してステレオ成分合成信号ＥＳ’を生成し、このステレオ成分合成信号ＥＳ’をマトリクス増幅器２３に出力する。
【００４０】
ここで本願発明のＦＭステレオ受信装置１の特徴とするところは、マルチパス妨害レベル検出部２４にて検出したマルチパス妨害レベル又は、隣接妨害レベル検出部２５にて検出した隣接妨害レベルに基づいて、信号処理部２２のモノラル側レベル比較部３３の基準レベルを設定変更する点にある。
【００４１】
図３は本実施の形態を示すＦＭステレオ受信装置１のマルチパス／隣接妨害用基準レベル設定変更処理に関わる信号処理部２２の処理動作を示すフローチャートである。
【００４２】
図３において信号処理部２２は、隣接妨害レベル検出部２５にて隣接妨害レベルを検出すると共に、マルチパス妨害レベル検出部２４にてマルチパス妨害レベルを検出する（ステップＳ１１）。
【００４３】
信号処理部２２のマルチパス妨害判定部３８は、マルチパス妨害レベルが所定レベル以上であるか否かを判定する（ステップＳ１２）。マルチパス妨害レベルが所定レベル以上であると判定されると、信号処理部２２の隣接妨害判定部３７は、隣接妨害レベルが所定レベル以上であるか否かを判定する（ステップＳ１３）。
【００４４】
信号処理部２２の基準レベル設定変更部３９は、隣接妨害レベルが所定レベル以上であると判定されると、これらマルチパス妨害レベルと隣接妨害レベルとを比較し、隣接妨害レベルの方が高いか否かを判定する（ステップＳ１４）。
【００４５】
基準レベル設定変更部３９は、隣接妨害レベルの方が高いと判定されると、この隣接妨害レベルに基づいてモノラル側レベル比較部３３の基準レベルを設定変更することで（ステップＳ１５）、この処理動作を終了する。尚、ステップＳ１５の基準レベルの設定変更は、この隣接妨害を含むステレオ成分信号ＥＳに関わる帯域分割信号のレベルを下げるように、基準レベルを上げることである。
【００４６】
また、ステップＳ１４にて隣接妨害レベルの方が高くないと判定されると、マルチパス妨害レベルに基づいてモノラル側レベル比較部３３の基準レベルを設定変更することで（ステップＳ１６）、この処理動作を終了する。尚、ステップＳ１６の基準レベルの設定変更は、このマルチパス妨害を含むステレオ成分信号に関わる帯域分割信号のレベルを下げるように、基準レベルを上げることである。
【００４７】
また、ステップＳ１２にてマルチパス妨害レベルが所定レベル以上でないと判定されると、隣接妨害判定部３７は、隣接妨害レベルが所定レベル以上であるか否かを判定する（ステップＳ１７）。
【００４８】
隣接妨害レベルが所定レベル以上となると、この隣接妨害レベルに基づいて基準レベルを設定変更すべく、ステップＳ１５に移行する。
【００４９】
また、ステップＳ１７にて隣接妨害レベルが所定レベル以上でないと判定されると、新たにマルチパス妨害レベル及び隣接妨害レベルを検出すべく、ステップＳ１１に移行する。
【００５０】
本実施の形態によれば、Ｓメータ信号からマルチパス妨害レベルを検出し、さらに、ＦＭ検波信号から隣接妨害レベルを検出し、これら隣接妨害レベル及びマルチパス妨害レベルに基づいて、モノラル側レベル比較部３３の基準レベルを設定変更するようにしたので、マルチパス妨害や隣接妨害が発生したとしても、これらマルチパス妨害や隣接妨害によるＦＭステレオ信号の聴感上のノイズを低減することができる。
【００５１】
本実施の形態によれば、マルチパス妨害レベル検出部２４にて検出したマルチパス妨害レベルが所定レベル以上となると、このマルチパス妨害レベルに基づいて、マルチパス妨害を含むステレオ成分信号ＥＳに関わる帯域分割信号のレベルを下げるように、モノラル側レベル比較部３３の基準レベルを設定変更するようにしたので、マルチパス妨害が発生したとしても、このマルチパス妨害によるＦＭステレオ信号に聴覚上のノイズを低減することができる。
【００５２】
本実施の形態によれば、隣接妨害レベル検出部２５にて検出した隣接妨害レベルが所定レベル以上となると、この隣接妨害レベルに基づいて、隣接妨害を含むステレオ成分信号ＥＳに関わる帯域分割信号のレベルを下げるように、モノラル側レベル比較部３３の基準レベルを設定変更するようにしたので、隣接妨害が発生したとしても、隣接妨害によるＦＭステレオ信号の聴覚上のノイズを低減することができる。
【００５３】
また、本実施の形態によれば、隣接妨害レベル及びマルチパス妨害レベル双方が所定レベル以上となると、これら隣接妨害レベル及びマルチパス妨害レベルの内、高い方の妨害レベルを選択し、この選択した妨害レベルに基づいて、妨害を含むステレオ成分信号ＥＳに関わる帯域分割信号のレベルを下げるように、モノラル側レベル比較部３３の基準レベルを設定変更するようにしたので、マルチパス妨害や隣接妨害が発生したとしても、これらマルチパス妨害や隣接妨害によるＦＭステレオ信号の聴覚上のノイズを低減することができる。
【００５４】
尚、上記実施の形態においては、隣接妨害レベルやマルチパス妨害レベルに基づいてモノラル側レベル比較部３３の基準レベルを設定変更するようにしたが、隣接妨害レベルやマルチパス妨害レベルだけでなく、他の妨害レベルに基づいてモノラル側レベル比較部３３の基準レベルを設定変更するようにしてもよく、この場合には他の妨害によるＦＭステレオ信号の聴感上のノイズをも低減することができる。
【００５５】
【発明の効果】
上記のように構成された本発明のＦＭステレオ受信装置によれば、ＦＭ放送信号における妨害レベルを検出し、この妨害レベル検出手段の検出結果に基づいて、レベル比較手段の基準レベルを設定変更するようにしたので、例えばマルチパス妨害や隣接妨害等の妨害が発生したとしても、これらマルチパス妨害や隣接妨害によるＦＭステレオ信号の聴感上のノイズを低減することができる。
【００５６】
本発明のＦＭステレオ受信装置によれば、電界強度信号からマルチパス妨害レベルを検出し、さらに、ＦＭ検波信号から隣接妨害レベルを検出し、これら隣接妨害レベル及びマルチパス妨害レベルに基づいて、レベル比較手段の基準レベルを設定変更するようにしたので、マルチパス妨害や隣接妨害が発生したとしても、これらマルチパス妨害や隣接妨害によるＦＭステレオ信号の聴感上のノイズを低減することができる。
【００５７】
本発明のＦＭステレオ受信装置によれば、マルチパス妨害レベル検出手段にて検出したマルチパス妨害レベルが所定レベル以上となると、このマルチパス妨害レベルに基づいて、マルチパス妨害を含むステレオ成分信号に関わる帯域分割信号のレベルを下げるように、レベル比較手段の基準レベルを設定変更するようにしたので、マルチパス妨害が発生したとしても、このマルチパス妨害によるＦＭステレオ信号に聴覚上のノイズを低減することができる。
【００５８】
本発明のＦＭステレオ受信装置によれば、隣接妨害レベル検出手段にて検出した隣接妨害レベルが所定レベル以上となると、この隣接妨害レベルに基づいて、隣接妨害を含む前記ステレオ成分信号に関わる帯域分割信号のレベルを下げるように、レベル比較手段の基準レベルを設定変更するようにしたので、隣接妨害が発生したとしても、隣接妨害によるＦＭステレオ信号の聴覚上のノイズを低減することができる。
【００５９】
本発明のＦＭステレオ受信装置によれば、隣接妨害レベル及びマルチパス妨害レベル双方が所定レベル以上となると、これら隣接妨害レベル及びマルチパス妨害レベルの内、高い方の妨害レベルを選択し、この選択した妨害レベルに基づいて、妨害を含むステレオ成分信号に関わる帯域分割信号のレベルを下げるように、レベル比較手段の基準レベルを設定変更するようにしたので、マルチパス妨害や隣接妨害が発生したとしても、これらマルチパス妨害や隣接妨害によるＦＭステレオ信号の聴覚上のノイズを低減することができる。
【図面の簡単な説明】
【図１】本発明の実施の形態を示すＦＭステレオ受信装置内部の概略構成を示すブロック図である。
【図２】本実施の形態を示すＦＭステレオ受信装置の要部である信号処理部内部の概略構成を示すブロック図である。
【図３】本実施の形態に関わるマルチパス／隣接妨害用基準レベル設定変更処理に関わる信号処理部の処理動作を示すフローチャートである。
【符号の説明】
１　　ＦＭステレオ受信装置
１５　　リミッタ（電界強度検出手段）
１７　　モノラル成分抽出部（抽出手段）
１８　　ステレオ成分抽出部（抽出手段）
２１　　同期検波器（抽出手段）
２２　　信号処理部
２３　　マトリクス増幅器（ＦＭステレオ信号生成手段）
２４　　マルチパス妨害レベル検出部（マルチパス妨害レベル検出手段：妨害レベル検出手段）
２４Ａ　第１ＢＰＦ（電界強度用抽出手段）
２４Ｂ　第１レベル検出部（電界強度用レベル検出手段）
２５　　隣接妨害レベル検出部（隣接妨害レベル検出手段：妨害レベル検出手段）
２５Ａ　第２ＢＰＦ（ＦＭ検波用抽出手段）
２５Ｂ　第２レベル検出部（ＦＭ検波用レベル検出手段）
３１　　モノラル側周波数分割部（周波数帯域分割手段）
３３　　モノラル側レベル比較部（レベル比較手段）
３４　　ステレオ側周波数分割部（周波数帯域分割手段）
３５　　ステレオ側レベル制御部（レベル制御手段）
３６　　ステレオ側合成部（ＦＭステレオ信号生成手段）
３７　　隣接妨害判定部（基準レベル設定変更手段）
３８　　マルチパス妨害判定部（基準レベル設定変更手段）
３９　　基準レベル設定変更部（基準レベル設定変更手段）
【図１】
2004088712.tif 000003
【図２】
2004088712.tif 000004
【図３】
2004088712.tif 000005